(57)【特許請求の範囲】
【請求項１】
前面に開口部を備え内部が複数の部屋に仕切られた断熱箱体と、
前記開口部を開閉自在に前記部屋を閉塞する複数の扉と、を備え、
少なくとも１つの前記扉は、
引き出し扉であり、
前記引き出し扉は、
上端部に把手構造を備え、
前記把手構造は、
指掛け部を形成するハンドル部品と、
前記ハンドル部品を保持するハンドル保持部品と、
前記ハンドル保持部品に対する前記ハンドル部品の上方向の移動を規制する上方向係合部と、
前記ハンドル保持部品に対する前記ハンドル部品の前後方向の移動を規制する前後方向係合部と、を備え、
前記ハンドル部品は、
前記引き出し扉の上端面を形成する天板部と、
前記天板部から下方に伸びるフランジ部と、
下方に伸びる第１リブと、
前記フランジ部から前記引き出し扉を閉じる方向に伸びる第２リブと、を備え、
前記ハンドル保持部品は、
前記引き出し扉の前面から凹み、前記指掛け部の指挿入部を形成する凹み部と、
前記凹み部の上部から前面側に伸びる上部壁と、を備え、
前記上部壁は、
当該上部壁の先端から上方に伸びる第３リブと、
当該上部壁の先端から上方に伸びる係合爪と、を備え、
前記上方向係合部は、
前記第２リブと、前記係合爪から突出した突起部とが係合する構造を有し、
前記前後方向係合部は、
前記第１リブと前記フランジ部との間の隙間に前記第３リブが嵌合する構造を有する、冷蔵庫。
【請求項２】
前記フランジ部は、
前記第１リブより下方において、前記引き出し扉を閉じる方向に突出し先端が下方に伸びる係合部を更に備え、
前記上部壁の冷蔵庫幅方向の左右の両端部は、
前記上部壁の冷蔵庫幅方向の中央部よりも前記フランジ部の先端側に位置し、
前記前後方向係合部は、
さらに前記係合部と前記フランジ部との間の隙間に前記第３リブが嵌合する構造を有する、請求項１に記載の冷蔵庫。
【請求項３】
前記ハンドル部品の前記天板部と前記ハンドル保持部品の前記上部壁との間の空間に発泡断熱材が充填される、請求項２に記載の冷蔵庫。
【請求項４】
前記引き出し扉は、
外装部品を更に備え、
前記ハンドル部品は、
前記引き出し扉の前面側の上部に、当該ハンドル部品の外観面から凹んでいる段差部が形成され、
前記外装部品は、
前記段差部に嵌め込まれる、請求項２又は３に記載の冷蔵庫。
【請求項５】
前記段差部は、
当該段差部の下部に設けられ上方に向かって開口された下部溝と、
当該段差部の前記天板部と略平行な面に、上方に向かって開口された上部溝と、を有し、
前記外装部品は、
前記上部溝と前記下部溝とに嵌る外装部品係合リブと、
下方に伸び前記段差部と上下方向に係合する突起を有する外装部品係合爪と、を備える、請求項４に記載の冷蔵庫。
【請求項６】
前記外装部品と前記ハンドル部品との間の空間に発泡断熱材が充填される、請求項４又は５に記載の冷蔵庫。
【発明の詳細な説明】
【技術分野】
【０００１】
本発明は、冷蔵庫に関し、特に引き出し扉の指掛け部の構造に関する。
【背景技術】
【０００２】
近年、まとめ買い等のニーズ増加に伴い大型の冷蔵庫が普及している。冷蔵庫は、冷蔵室、冷凍室、及び野菜室の様に、３部屋以上の部屋を持つものが一般化している。かつてはヒンジ式の回転扉が一般的であったが、現在では冷凍室や野菜室等の部屋においては、引出し式扉を持つ冷蔵庫が多数を占める様になった。【０００３】
従来の冷蔵庫においては、特許文献１に開示されているように、冷凍室や野菜室等の引出し扉は、扉体の上端に扉キャップが取り付けられ、扉キャップには扉帯を引き出すための凹陥した指挿入部が構成されている。扉キャップは、第１の部材と第２の部材の２つの部材からなる。第１の部材は下方に延在したフランジを有し、このフランジを指掛け部としている。扉キャップは、左右両端においては、ウレタン充填可能な空間とされ断熱性を保持しており、中央部に指挿入部が設けられている。扉キャップは、中央部の指挿入部においてのみ、第２の部材を冷蔵庫奥行方向に逃がして指掛けのための空間を形成している。第２の部材は、上端を第１の部材に継ぎ合わされているが、その上端を第１の部材と一部ラップさせてウレタン漏れ防止構造を持たせつつ突き当てている。これにより、指掛け部の構造が形成されている。
【先行技術文献】
【特許文献】
【０００４】
【特許文献１】特開平１０−２０５８０６号公報
【発明の概要】
【発明が解決しようとする課題】
【０００５】
しかし、冷蔵庫の大型化、収納食品による負荷拡大に伴い、引き出し扉の指掛け部の構造に掛かる負荷も大きくなっている。そのため、引出し扉においては、引出し易さや、指掛け部の構造の強度の重要性が増している。特許文献１に開示されている引出し扉構造においては、指掛け部を構成する部材同士の嵌合構造が、荷重がかかる点から遠い位置にあり、また、荷重がかかったときに、指掛け部を構成する部材同士が離れるように嵌合している。そのため、指掛け部に大きな負荷がかかると、指掛け部が変形し、指掛け部を構成する部材同士が離れ浮きあがってしまうという課題があった。また、製造時においても、指掛け部を構成する部材間に上下方向の位置を固定する為の嵌合構造が無い為、シール材等で固定する必要があり、組立作業性が悪い、嵌合部の半挿入が発生し易いという課題があった。【０００６】
本発明は、上記のような課題を解決するためになされたもので、指掛け部に大きな荷重がかかっても変形や嵌合部の浮き上がりが発生せず、指掛け部の組立作業性の良い冷蔵庫を提供することを目的とする。
【課題を解決するための手段】
【０００７】
本発明に係る冷蔵庫は、前面に開口部を備え内部が複数の部屋に仕切られた断熱箱体と、前記開口部を開閉自在に前記部屋を閉塞する複数の扉と、を備え、少なくとも１つの前記扉は、引き出し扉であり、前記引き出し扉は、上端部に把手構造を備え、前記把手構造は、指掛け部を形成するハンドル部品と、前記ハンドル部品を保持するハンドル保持部品と、前記ハンドル保持部品に対する前記ハンドル部品の上方向の移動を規制する上方向係合部と、前記ハンドル保持部品に対する前記ハンドル部品の前後方向の移動を規制する前後方向係合部と、を備え、前記ハンドル部品は、前記引き出し扉の上端面を形成する天板部と、前記天板部から下方に伸びるフランジ部と、下方に伸びる第１リブと、前記フランジ部から前記引き出し扉を閉じる方向に伸びる第２リブと、を備え、前記ハンドル保持部品は、前記引き出し扉の前面から凹み、前記指掛け部の指挿入部を形成する凹み部と、前記凹み部の上部から前面側に伸びる上部壁と、を備え、前記上部壁は、当該上部壁の先端から上方に伸びる第３リブと、当該上部壁の先端から上方に伸びる係合爪と、を備え、前記上方向係合部は、前記第２リブと、前記係合爪から突出した突起部とが係合する構造を有し、前記前後方向係合部は、前記第１リブと前記フランジ部との間の隙間に前記第３リブが嵌合する構造を有する。
【発明の効果】
【０００８】
本発明によれば、この発明の冷蔵庫は、上記のように、把手構造を構成するハンドル部品とハンドル保持部品とを上下方向及び前後方向に係合させる事で、引出し形状に負荷が掛った際でも、リブにより浮きが抑制される為、変形を押さえつつ引出す事が可能になる。また、ハンドル部品とハンドル保持部品とを上下方向及び前後方向に係合させる事により、引き出し扉に発泡充填材を充填する際にもハンドル部品とハンドル保持部品とが互いにずれることなく、組立作業性が向上する。
【図面の簡単な説明】
【０００９】
【図１】本発明の実施の形態１における冷蔵庫の正面図である。
【図２】図１の冷蔵庫の引き出し扉の斜視図である。
【図３】図２の引き出し扉の把手構造を分解した斜視図である。
【図４】図２の引き出し扉の把手構造の断面図である。
【図５】図２の引き出し扉の把手構造の断面図である。
【図６】図２の引き出し扉の把手構造の断面図である。
【図７】図２の引き出し扉の把手構造の断面図である。
【図８】図３のハンドル保持部品の斜視図である。
【図９】本発明の実施の形態２に係る冷蔵庫の引き出し扉の斜視図である。
【図１０】本発明の実施の形態２に係る冷蔵庫の引き出し扉の把手構造を分解した斜視図である。
【図１１】図１０のハンドル部品の斜視図である。
【図１２】本発明の実施の形態２に係る引き出し扉の把手構造の断面図である。
【図１３】本発明の実施の形態２に係る引き出し扉の把手構造の断面図である。
【図１４】本発明の実施の形態２に係る引き出し扉の把手構造の断面図である。
【図１５】本発明の実施の形態２に係る引き出し扉の把手構造の断面図である。
【発明を実施するための形態】
【００１０】
以下、図面に基づいて本発明の実施の形態について説明する。各図において、同一の符号を付した機器等については、同一の又はこれに相当する機器等を表すものであって、これは明細書の全文において共通している。また、明細書全文に表れている構成要素の形態は、あくまで例示であって、本発明は明細書内の記載のみに限定されるものではない。特に構成要素の組み合わせは、各実施の形態における組み合わせのみに限定するものではなく、他の実施の形態に記載した構成要素を別の実施の形態に適用することができる。また、図面では各構成部材の大きさの関係が実際のものとは異なる場合がある。
【００１１】
実施の形態１.
＜冷蔵庫１００＞
図１は、本発明の実施の形態１における冷蔵庫１００の正面図である。図１に示される冷蔵庫１００は、前面に開口部が設けられた断熱箱体１を備える。断熱箱体１は、外観を構成する外箱と内部の収納室の壁を構成する内箱とから形成され、外箱と内箱との間の空間に断熱材が充填されて構成される。また、断熱箱体１は、内部が複数の部屋に仕切られている。断熱箱体１の各部屋は、それぞれ前面の開口部を閉塞する様に扉が設けられている。冷蔵庫１００の上段は、例えば冷蔵室２となっている。冷蔵室２は、前面がヒンジ式の回転扉２ａ、２ｂのヒンジを左右の両端部に設け、観音開きになる様に構成されている。冷蔵室２の下方には、野菜室３が設けられ、野菜室３の下方には冷凍室４が設けられている。野菜室３及び冷凍室４は、引出し式の収納室になっており、前面には引き出し扉３ａ、４ａを有している。なお、冷蔵庫１００の各収納室の構成はこの限りでは無く、例えば製氷室、切替え室等のその他の部屋を有していても良い。
【００１２】
図２は、図１の冷蔵庫１００の引き出し扉４ａの斜視図である。図３は、図２の引き出し扉４ａの把手構造８０を分解した斜視図である。なお、実施の形態１において、引き出し扉４ａを一例として説明するが、引き出し扉３ａにおいても同様な構造になっている。引き出し扉４ａは、板金やガラス板等で形成される扉パネル３０と、下端において端面を覆うキャップ部品４０と、上部には把手構造８０とを有する。把手構造８０は、ハンドル部品１０及びハンドル保持部品２０から構成されている。ハンドル保持部品２０は、扉パネル３０と嵌合し、固定されている。ハンドル部品１０は、ハンドル保持部品２０の上部に固定されている。
【００１３】
図４及び図５は、図２の引き出し扉４ａの把手構造８０の断面図である。図４及び図５は、冷蔵庫１００に向かって左右方向の中央部において、冷蔵庫１００の前後方向に沿った鉛直断面であり、引き出し扉４ａの把手構造８０周辺を拡大して示すものである。なお、図５は、冷蔵庫１００の中央部において図４と異なる部位の断面をとったものである。扉パネル３０は、冷蔵庫内に面する側に内板５０と呼ばれる樹脂製の板が嵌められている。引き出し扉４ａは、把手構造８０と扉パネル３０と内板５０とキャップ部品４０とに囲まれる空間に発泡ウレタンが充填され、扉として形成されている。また、内板５０には、引き出し扉４ａが閉じた際に冷蔵庫の断熱箱体１との間の密閉性を確保する為、断熱箱体１と接触する面にガスケット部品６０が設けられている。さらに、内板５０には、断熱箱体１から冷凍室４を引き出し自在にする為のフレーム部品（図示せず）等が取付けられる。
【００１４】
（把手構造８０）
引き出し扉４ａの把手構造８０は、指を挿入し、引き出し扉４ａを引き出すための指掛け部５を有する。指掛け部５は、冷蔵庫１００の左右方向の中央部に設けられている。把手構造８０は、ハンドル部品１０とハンドル保持部品２０とから構成されている。ハンドル部品１０は、引き出し扉４ａの天面を形成する天板部１６と、天板部１６から下方に伸びるフランジ部１１を備える。フランジ部１１は、天板部１６の前面側の端部から下方に伸びており、フランジ部１１の内側を向いた面１１ａに指がかかるようになっている。ハンドル保持部品２０は、引き出し扉４ａの前面から凹んだ面を形成する凹み部２３を備える。凹み部２３の下端部２４は、扉パネル３０の上端部と嵌合している。ハンドル保持部品２０は、下端部２４から上に行くに従い、冷蔵庫１００の内部側に向かって凹んだ面を形成している。ハンドル保持部品２０は、凹み部２３の上端部から前方に向かって伸びる上部壁２７を備える。上部壁２７は、指掛け部５の内部の上側の面を形成している。つまり、指掛け部５は、ハンドル部品１０のフランジ部１１と、ハンドル保持部品２０の上部壁２７と、ハンドル保持部品２０の凹み部２３とにより袋状に形成されている。引き出し扉４ａを開ける際には、使用者は、この袋状に形成された指掛け部５に指を挿入し、ハンドル部品１０のフランジ部１１の内側の面１１ａに指を掛け、冷蔵庫１００の前面側に引き出し扉４ａを引き出す。
【００１５】
扉パネル３０が例えば板金パネルで構成されている場合、ハンドル保持部品２０の下端部２４は、扉パネル３０の上端部をくわえ込み、保持する為の形状が設けられている。具体的には、冷蔵庫１００の前面側には、扉パネル３０の表面に沿う形で下方に伸びたリブ２５が設けられている。このリブ２５に並行する形で、扉パネル３０を挿入する分の空間を空け、リブ２５よりも長いリブ２６が設けられている。このリブ２５とリブ２６との間に扉パネル３０が挿入され保持される。そして、このリブ２５とリブ２６とは、引き出し扉４ａの内部に発泡断熱材を充填した時の断熱材漏れ防止の効果も持っている。また、実際には発泡断熱材充填までの間の仮固定として、シール材等で扉パネル３０とハンドル保持部品２０とを仮固定する事もある。
【００１６】
図６及び図７は、図２の引き出し扉４ａの把手構造８０の断面図である。図８は、図３のハンドル保持部品２０の斜視図である。図６及び図７は、冷蔵庫１００に向かって左右方向の両端部における、冷蔵庫１００の前後方向に沿った鉛直断面であり、引き出し扉４ａの把手構造８０周辺を拡大して示すものである。ハンドル保持部品２０は、扉パネル３０を保持している下端部２４から上部で、製品内側に向かって伸びており、指挿入のための指掛け部５を形成している。また、ハンドル保持部品２０は、上部壁２７にハンドル部品１０と嵌合する為の形状を有している。実施の形態１においては、ハンドル保持部品２０は、冷蔵庫１００の左右方向の中央部をより凹ませ、左右両端部においては、凹みを浅くしている。具体的には、図５及び図６に示されるように、冷蔵庫１００の左右方向中央部において、ハンドル保持部品２０の上部壁２７は、ハンドル部品１０の天板部１６に近い位置に設けられている。一方、図７及び図８に示されるように、冷蔵庫１００の左右両端部においては、上部壁２７は、フランジ部１１の先端寄りに位置しており、中央部の上部壁２７よりも下方に位置している。これは、一般的に引き出し扉４ａの中央部に手を掛けて引き出し扉４ａを開閉する事が主であり、引き出し扉４ａの左右両端部は使用される事が少ないためである。低くする事で発泡断熱材充填空間を設ける為であるが、同様とする必要はない。前記凹み部から上部にはハンドル部品と嵌合する為の形状が設けられている。
【００１７】
ハンドル保持部品２０は、ハンドル部品１０が形成する天板部１６と略平行な形で、冷蔵庫１００の前面側に向かって上部壁２７を備え、冷蔵庫１００の内部側に向かって内部壁２８を有している。上部壁２７は、前面側でハンドル部品１０と嵌合されている。内部壁２８は背面側でハンドル部品１０と嵌合されている。ハンドル部品１０とハンドル保持部品２０とがと嵌合した状態では、ハンドル部品１０とハンドル保持部品２０との間は箱状の空間１１０が形成されている。前述の通り、冷蔵庫１００の左右両側の端部においては、上部壁２７は、中央部よりも低い位置に形成されている。よって、ハンドル部品１０とハンドル保持部品２０との間に形成されている箱状の空間は、左右両端部において中央部よりも広い空間１１１となっている。
【００１８】
図８に示されるように、ハンドル保持部品２０は、複数個所に発泡断熱材を通すための穴１２０が設けられている。発泡断熱材は、穴１２０を通り、空間１１０及び空間１１１内に充填される。また、穴１２０の開口面積を調整する事で、充填される発泡断熱材の量を調整する事も可能である。
【００１９】
図４に示されるように、ハンドル部品１０のフランジ部１１の根元部から冷蔵庫１００の内部側、つまり引き出し扉４ａを閉じる方向に向かってリブ１３ａが伸びている。リブ１３ａは、天板部１６と略平行方向に伸びている。上部壁２７の冷蔵庫１００前面側の先端部には、上方に伸びる係合爪２２ａが設けられている。係合爪２２ａは、前面側に向かって突起部２８ａを備え、ハンドル部品１０のリブ１３ａの上側の面と係合している。この構造により、ハンドル部品１０とハンドル保持部品２０とは、互いに上方向への動きを規制している。また、図７に示されるように、冷蔵庫１００の左右端部においては、ハンドル部品１０のフランジ部１１から伸びるリブ１３ｂは、中央部よりも下方に位置している。冷蔵庫１００の左右端部において、ハンドル保持部品２０の上部壁２７は、中央部よりも下方に位置しているため、リブ１３ｂと係合するため係合爪２２ｂが長く形成されている。そして、リブ１３ｂの上面に突起２８ｂを係合させ、ハンドル部品１０とハンドル保持部品２０とを互い移動しないように規制している。なお、リブ１３ａと係合爪２２ａとが係合している構造、及びリブ１３ｂと係合爪２２ｂとが係合している構造が、本発明の上下方向係合部に相当するものである。また、リブ１３ａは本発明の第２リブに相当するものである。
【００２０】
図５に示されるように、ハンドル部品１０の天板部１６から下方にリブ１２ａが伸びている。リブ１２ａは、フランジ部１１の冷蔵庫１００内部側の面と所定の隙間をとって配置されている。上部壁２７の先端には、上方向に伸びるリブ２１ａが設けられており、リブ１２ａとフランジ部１１との間の隙間にリブ２１ａが挿入されている。このように係合されていることにより、ハンドル部品１０とハンドル保持部品２０とは、互いに引き出し扉４ａの引き出し方向の移動を規制している。また、図６に示されるように、冷蔵庫１００の左右端部においては、フランジ部１１から冷蔵庫１００の内部側方向に突出し、先端が下方に伸びる係合部１２ｂが設けられている。係合部１２ｂは、リブ１２ａよりも下方に設けられている。冷蔵庫１００の左右両端部において、上部壁２７は、中央部よりも下方に位置しており、上部壁２７の先端部に設けられたリブ２１ｂは、係合部１２ｂの下方に伸びている部分とフランジ部１１との間に挿入され、係合する。これにより、ハンドル部品１０とハンドル保持部品２０とは、互いに引き出し扉４ａの引き出し方向の移動を規制している。なお、リブ１２ａとリブ２１ａとが係合している構造、及び係合部１２ｂとリブ２１ｂとが係合している構造が、本発明の前後方向係合部に相当するものである。また、リブ１２ａは、本発明の第１リブに相当するものである。リブ２１ａ及びリブ２１ｂは、本発明の第３リブに相当するものである。
【００２１】
図４に示されるハンドル部品１０のリブ１３ａ及びハンドル保持部品２０の係合爪２２ａが係合して構成されている上下方向係合部と、図５に示されるハンドル部品１０のリブ１２ａ及びハンドル保持部品２０のリブ２１ａが係合して構成されている前後方向係合部とは、冷蔵庫１００の幅方向のずれた位置にそれぞれ設けられている。また、図６に示されるように、上下方向係合部は、ハンドル部品１０の係合部１２ｂ及びハンドル保持部品２０のリブ２１ｂが係合して構成されている。図７に示されるように、前後方向係合部は、ハンドル部品１０のリブ１３ｂ及びハンドル保持部品２０の係合爪２２ｂが係合して構成されている。そして、上下方向係合部と前後方向係合部とは、冷蔵庫１００の幅方向のずれた位置にそれぞれ設けられている。実施の形態１においては、上下方向係合部と前後方向係合部とは、冷蔵庫１００の幅方向において交互に設置されており、ハンドル部品１０とハンドル保持部品２０とが互いに上下方向及び前後方向に動きを規制する様に構成されている。
【００２２】
図８に示されているように、ハンドル保持部品２０には、上下方向係合部を構成する係合爪２２ａが複数設けられているが、それぞれの係合爪２２ａの間はリブ２１ａが設けられている。また、それぞれの係合爪２２ｂの間もリブ２１ｂが設けられている。また、冷蔵庫１００の幅方向の中央部の左右両端において、係合爪２２ａと係合爪２２ｂとの間もリブ２１ｃが設けられており、高い位置に形成されているリブ２１ａと低い位置に形成されているリブ２１ｂとの間をつないでいる。なお、ハンドル部品１０にも、リブ２１ｃに合わせてリブ１２ｃが設けられており、リブ１２ｃは、高い位置に形成されているリブ１２ａと低い位置に形成されている係合部１２ｂとの間をつなぐように形成されている。
【００２３】
図８に示されているように、リブ２１ａ、リブ２１ｂ、及びリブ２１ｃは、係合爪２２ａ及び係合爪２２ｂが設置されている箇所以外のハンドル保持部品２０の上部壁２７の先端に、冷蔵庫１００の幅方向全域にわたって形成されている。リブ２１ａ、リブ２１ｂ、及びリブ２１ｃが、それぞれハンドル部品１０のリブ１２ａ、係合部１２ｂ、及びリブ１２ｃに嵌合することにより、ハンドル部品１０とハンドル保持部品２０とを互いに前後方向に動かないようにするだけでなく、引き出し扉４ａの内部に充填される発泡断熱材の漏れを防止するようにラップ構造になっている。特に、図４と図５とに示されている空間１１０、及び図６と図７とに示されている空間１１１に発泡断熱材が充填されても、引き出し扉４ａの外部に発泡断熱材が漏れるのを防止できる。
【００２４】
また、空間１１０及び空間１１１に発泡断熱材が充填されることにより、係合爪２２ａは、リブ１３ａから外れなくなる。同様に係合爪２２ｂは、リブ１３ｂから外れなくなる。係合爪２２ａ及び係合爪２２ｂは、バネ性を有する形状に構成されているが、空間１１０及び空間１１１に発泡断熱材が充填されることにより、係合爪２２ａ及び係合爪２２ｂの動きが制限されるからである。
【００２５】
また、図４に示されているように、ハンドル保持部品２０の内部壁２８の先端は、ハンドル部品１０の冷蔵庫１００の内部側の端部に形成された内部側係合部１８に係合している。内部壁２８の先端部は、バネ性を有し部分的に内部側係合部１８に係合している。しかし、発泡充填材が空間１１０及び引き出し扉４ａの内部に充填されることにより、内部壁２８及び内部側係合部１８が撓む空間が発泡充填材により閉塞されるため、内部壁２８及び内部側係合部１８は動きが制限され、係合が外れないようになる。
【００２６】
上記のように、ハンドル部品１０とハンドル保持部品２０とは、リブ２１ａ、リブ２１ｂ、及びリブ２１ｃが、それぞれリブ１２ａ、係合部１２ｂ、及びリブ１２ｃに嵌合し、箱状の空間１１０を形成しているため、把手構造の剛性が向上する。また、ハンドル部品１０とハンドル保持部品２０とは、前面側又は背面側の両方で嵌合しているため、組立時に確実に嵌合し、発泡断熱材を充填する前の部品同士の位置ずれが抑制される。
【００２７】
＜実施の形態１の効果＞
（１）実施の形態１に係る冷蔵庫１００は、前面に開口部を備え内部が複数の部屋に仕切られた断熱箱体１と、開口部を開閉自在に部屋を閉塞する複数の扉と、を備える。少なくとも１つの前記扉は、引き出し扉４ａであり、引き出し扉４ａは、上端部に把手構造８０を備える。把手構造８０は、指掛け部を形成するハンドル部品１０と、ハンドル部品１０を保持するハンドル保持部品２０と、ハンドル保持部品２０に対するハンドル部品１０の上方向の移動を規制する上下方向係合部と、ハンドル保持部品２０に対するハンドル部品１０の前後方向の移動を規制する前後方向係合部と、を備える。
このように構成されることにより、引き出し扉４ａの把手構造８０は、引き出し扉４ａを引き出す際に指掛け部５に力をかけても、上下方向係合部と前後方向係合部とにより、ハンドル部品１０がハンドル保持部品２０に対し浮き上がることがない。そして、把手構造８０の剛性も高く、引き出し扉４ａは、把手構造８０が変形することなく引き出しが可能である。
【００２８】
（２）実施の形態１に係る冷蔵庫１００によれば、ハンドル部品１０は、引き出し扉４ａの上端面を形成する天板部１６と、天板部１６から下方に伸びるフランジ部１１と、下方に伸びる第１リブ１２ａと、フランジ部１１から引き出し扉を閉じる方向に伸びる第２リブ１３ａと、を備える。ハンドル保持部品２０は、引き出し扉４ａの前面から凹み、指掛け部５の指挿入部を形成する凹み部２３と、凹み部２３の上部から前面側に伸びる上部壁２７と、を備える。上部壁２７は、当該上部壁２７の先端から上方に伸びる第３リブ２１ａと、当該上部壁２７の先端から上方に伸びる係合爪２２ａと、を備える。上下方向係合部は、第２リブ１３ａと、係合爪２２ａから突出した突起部２８ａとが係合する。前後方向係合部は、第１リブ１２ａとフランジ部１１との間の隙間に第３リブ２１ａが嵌合する構造を有する。
（３）実施の形態１に係る冷蔵庫１００によれば、フランジ部１１は、第１リブ１２ａより下方において、引き出し扉４ａを閉じる方向に突出し先端が下方に伸びる係合部１２ｂを更に備える。上部壁２７の冷蔵庫幅方向の左右の両端部は、上部壁２７の冷蔵庫幅方向の中央部よりもフランジ部１１の先端側に位置する。前後方向係合部は、さらに係合部１２ｂとフランジ部１１との間の隙間に第３リブ２１ｂが嵌合する構造を有する。
このように構成されることにより、ハンドル部品１０とハンドル保持部品２０とは、上下方向及び前後方向に互いに係合し動きを規制するため、引き出し扉４ａの開閉の際にも変形することなく開閉が可能である。また、ハンドル部品１０とハンドル保持部品２０との係合部は、ラップして係合する構造であるため、内部に発泡充填材を充填した際に、外に漏れ出すのを防止できる。
【００２９】
（４）実施の形態１に係る冷蔵庫１００によれば、ハンドル部品１０の天板部１６とハンドル保持部品２０の上部壁２７との間の空間に発泡断熱材が充填される。
このように構成されることにより、ハンドル部品１０とハンドル保持部品２０とを係合させている係合爪２２ａ、２２ｂを発泡充填材により動かないようにできるため、ハンドル部品１０とハンドル保持部品２０との固定がより強くなる。
【００３０】
実施の形態２．
本発明の実施の形態２に係る冷蔵庫２００は、実施の形態１に係る冷蔵庫１００に対し、ハンドル部品１０に段差部２１５を設け、段差部２１５に外装部品７０を追加したものである。実施の形態２に係る冷蔵庫２００においては、実施の形態１に対する変更点を中心に説明する。実施の形態２に係る冷蔵庫２００の各部については、各図面において同一の機能を有するものは実施の形態１の説明で使用した図面と同一の符号を付して表示するものとする。
【００３１】
図９は、本発明の実施の形態２に係る冷蔵庫２００の引き出し扉２０４ａの斜視図である。図１０は、本発明の実施の形態２に係る冷蔵庫２００の引き出し扉２０４ａの把手構造２８０を分解した斜視図である。なお、実施の形態２において、引き出し扉２０４ａを一例として説明するが、他の引き出し扉３ａにおいても同様な構造にしてもよい。引き出し扉２０４ａは、板金やガラス板等で形成される扉パネル３０と、下端において端面を覆うキャップ部品４０と、上部には把手構造２８０とを有する。把手構造２８０は、ハンドル部品２１０及びハンドル保持部品２０から構成されている。ハンドル保持部品２０は、扉パネル３０と嵌合し、固定されている。ハンドル部品２１０は、ハンドル保持部品２０に固定されている。実施の形態２において、ハンドル保持部品２０は、実施の形態１と同様な構成になっているが、ハンドル部品２１０に合わせて各部の寸法は変更しても良い。ハンドル部品２１０の前面側の上部には、外装部品７０が取り付けられている。外装部品７０の外観面は、例えばめっき処理されている。
【００３２】
図１１は、図１０のハンドル部品２１０の斜視図である。図１２〜図１５は、本発明の実施の形態２に係る引き出し扉２０４ａの把手構造２８０の断面図である。ハンドル部品２１０は、冷蔵庫２００の前面側の上部に段差部２１５が設けられている。段差部２１５は、外装部品７０の形状に合わせて外観面から凹んでいる。段差部２１５には、外装部品７０を係合させるための構造として部分的に凹み部２１４ａ及び凹み部２１４ｂが形成されている。冷蔵庫２００の幅方向の中央部には、凹み部２１４ａが設けられており、冷蔵庫２００の幅方向の左右両端部には、凹み部２１４ｂが設けられている。
【００３３】
段差部２１５の下部には、冷蔵庫２００の幅方向全域にわたって下部溝２０６が形成されている。外装部品７０の下端部は、外装部品係合リブ７１が形成されており、下部溝２０６に嵌るようになっている。この構造により、外装部品７０は、ハンドル部品２１０に対し前後方向に動きが規制される。
【００３４】
実施の形態２に係る引き出し扉２０４ａにおいても、冷蔵庫２００の幅方向の中央部に指掛け部２０５が形成されている。そのため、中央部にある凹み部２１４ａは、左右両端部にある凹み部２１４ｂに対して高い位置にある。凹み部２１４ａを形成する冷蔵庫２００の前面側を向いた面には、係合孔２１８が形成されている。係合孔２１８は、上側の面に外装部品７０の外装部品係合爪７３ａが係合するようになっている。図１２に示されるように、外装部品係合爪７３は、冷蔵庫２００の内部側の端部から下方に伸びており、冷蔵庫２００の内部側に向けて突起７４が形成されている。係合孔２１８は、ハンドル部品２１０を貫通している。係合孔２１８には、外装部品係合爪７３が係合している開口と反対側の開口にハンドル保持部品２０の係合爪２２ａが係合している。つまり、係合孔２１８は、外装部品７０と係合するだけでなく、ハンドル保持部品２０とハンドル部品１０との上下方向係合部を構成しており、実施の形態１に係るリブ１３ａの機能も兼ねている。
【００３５】
図１３に示されているように、段差部２１５の天面２１５ａには、部分的に上側に開口している溝である上部溝２０７が形成されている。上部溝２０７には、外装部品７０の冷蔵庫２００の内部側の端部から下方に伸びている外装部品係合リブ７２が嵌る。この構造により、外装部品７０は、冷蔵庫２００の内部側の端部においてもハンドル部品２１０に対し前後方向の動きが規制される。
【００３６】
図１５に示されているように、引き出し扉２０４ａにおいて冷蔵庫２００の幅方向の左右両端部に設けられている凹み部２１４ｂは、その底部に下方に向かって貫通孔２２８が形成されている。この貫通孔２２８は、下方からハンドル保持部品２０の係合爪２２ｂが挿入される。係合爪２２ｂは、貫通孔２２８の上端部２１３ｂに係合している。つまり、貫通孔２２８の上端部２１３ｂは、実施の形態１のリブ１３ｂと同じ機能を有するものであり、ハンドル部品２１０とハンドル保持部品２０との上下方向係合部を構成している。
【００３７】
図１５に示されているように、凹み部２１４ｂは、凹み部２１４ｂを形成する冷蔵庫２００の前面側を向いた面には、外装部品係合溝２１９が設けられている。外装部品係合溝２１９は、外装部品７０の端部に設けられた外装部品係合爪７３ｂが係合している。このように構成されることにより、外装部品７０は、ハンドル部品２１０に対し上方向の移動が規制される。
【００３８】
図１３及び図１４に示されているように、ハンドル部品２１０とハンドル保持部品２０との前後方向係合部は、実施の形態１と同様に形成されている。図１３において、ハンドル部品１０の段差部２１５の天面２１５ａの裏側から下方にリブ２１２ａが伸びており、リブ２１２ａとフランジ部２１１との間に形成された隙間にリブ２１ａが係合している。また、図１４において、フランジ部２１１は、冷蔵庫２００の内側を向いた面に、溝２１２ｂが形成されており、この溝２１２ｂにハンドル保持部品２０のリブ２１ｂが係合している。このように構成されることにより、ハンドル部品２１０とハンドル保持部品２０とは、互いに上下方向の動きを規制している。
【００３９】
実施の形態２において、外装部品７０とハンドル部品２１０との間に形成された空間１１２に発泡充填剤を充填してもよい。発泡充填剤が外装部品７０の外装部品係合爪７３ａ、７３ｂの動きを規制するため、外装部品とハンドル部品２１０との間の嵌合による固定がより強固となる。
【００４０】
（５）実施の形態２に係る冷蔵庫２００によれば、引き出し扉２０４ａは、外装部品７０を更に備える。ハンドル部品２１０は、引き出し扉２０４ａの前面側の上部に、当該ハンドル部品２１０の外観面から凹んでいる段差部２１５が形成され、外装部品７０は、段差部２１５に嵌め込まれる。
このように構成されることにより、上記（１）〜（４）と同様な効果を得ながら、引き出し扉２０４ａに外装部品７０のような加飾部品を追加することができる。
【００４１】
（６）実施の形態２に係る冷蔵庫２００によれば、段差部２１５は、当該段差部２１５の下部に設けられ上方に向かって開口された下部溝２０６と、段差部２１５の天面２１５ａと略平行な面に、上方に向かって開口された上部溝２０７と、を有する。外装部品７０は、上部溝２０７と下部溝２０６とに嵌る外装部品係合リブ７２と、下方に伸び前記段差部と上下方向に係合する突起を有する外装部品係合爪７３と、を備える。
このように構成されることにより、外装部品７０は、ハンドル部品２１０に対し上下方向、前後方向に動かない様に固定される。また、ハンドル部品２１０と外装部品７０との間の空間１１２にも発泡充填材が充填可能となる。
【００４２】
（７）実施の形態２に係る冷蔵庫２００によれば、外装部品７０とハンドル部品２１０との間の空間に発泡断熱材が充填される。
このように構成されることにより、外装部品７０とハンドル部品２１０とを係合している係合部の動きが発泡充填材により拘束され、外装部品７０が強固に固定される。また、外装部品７０とハンドル部品２１０との間に発泡充填材が充填されるため、外装部品７０のガタツキもなくなり、品質が向上する。
【符号の説明】
【００４３】
１  断熱箱体、２  冷蔵室、２ａ  回転扉、２ｂ  回転扉、３  野菜室、３ａ  引き出し扉、４  冷凍室、４ａ  引き出し扉、５  指掛け部、１０  ハンドル部品、１１  フランジ部、１１ａ  面、１２ａ  リブ、１２ｂ  係合部、１２ｃ  リブ、１３  リブ、１３ａ  リブ、１３ｂ  リブ、１６  天板部、１８  内部側係合部、２０  ハンドル保持部品、２１ａ  リブ、２１ｂ  リブ、２１ｃ  リブ、２２ａ  係合爪、２２ｂ  係合爪、２３  凹み部、２４  下端部、２５  リブ、２６  リブ、２７  上部壁、２８  内部壁、２８ａ  突起部、２８ｂ  突起、３０  扉パネル、４０  キャップ部品、５０  内板、６０  ガスケット部品、７０  外装部品、７１  外装部品係合リブ、７２  外装部品係合リブ、７３  外装部品係合爪、７３ａ  外装部品係合爪、７３ｂ  外装部品係合爪、７４  突起、８０  把手構造、１００  冷蔵庫、１１０  空間、１１１  空間、１１２  空間、１２０  穴、２００  冷蔵庫、２０４ａ  引き出し扉、２０５  指掛け部、２０６  下部溝、２０７  上部溝、２１０  ハンドル部品、２１１  フランジ部、２１２ａ  リブ、２１２ｂ  溝、２１３ｂ  上端部、２１４ａ  凹み部、２１４ｂ  凹み部、２１５  段差部、２１５ａ  天面、２１８  係合孔、２１９  外装部品係合溝、２２８  貫通孔、２８０  把手構造。
【図１】
0006716008.tif 000002
【図２】
0006716008.tif 000003
【図３】
0006716008.tif 000004
【図４】
0006716008.tif 000005
【図５】
0006716008.tif 000006
【図６】
0006716008.tif 000007
【図７】
0006716008.tif 000008
【図８】
0006716008.tif 000009
【図９】
0006716008.tif 000010
【図１０】
0006716008.tif 000011
【図１１】
0006716008.tif 000012
【図１２】
0006716008.tif 000013
【図１３】
0006716008.tif 000014
【図１４】
0006716008.tif 000015
【図１５】
0006716008.tif 000016